(57)【特許請求の範囲】
【請求項１】
原稿を載置可能な原稿台、ならびに前記原稿台に対し平行に移動可能なキャリッジを有する画像読み取り部と、
前記画像読み取り部で読み取られた画像データに基づいて印刷媒体に画像を印刷可能な画像印刷部と、
前記画像読み取り部および前記画像印刷部を制御可能な制御手段を有する信号処理部と、
前記画像読み取り部を収容可能な第１収容空間部、ならびに前記画像印刷部および前記信号処理部を収容可能な第２収容空間部を形成するハウジングと、
前記ハウジングの、前記原稿台と同一の端部側において、前記キャリッジの画像読み取り前の初期位置の側に配設され、前記第１収容空間部の内部および外部を連通可能な第１扉部と、
前記第１扉部の内側に配設され、前記第１収容空間部および前記第２収容空間部を連通可能な第２扉部と、
を備えることを特徴とする画像入出力装置。
【請求項２】
前記第２扉部は、前記制御手段に通電されているとき、前記第１扉部が開状態である場合に開状態となることを特徴とする請求項１記載の画像入出力装置。
【請求項３】
前記扉部は前記第１扉部の開閉状態を検出可能なセンサ部を有し、前記第２扉部は前記センサ部から出力される電気信号に応じて前記制御手段により前記キャリッジが前記初期位置に移動されると開状態となることを特徴とする請求項２記載の画像入出力装置。
【請求項４】
前記第２扉部には、反第１扉部側の面に前記画像印刷部の整備方法を表示した表示部が配設されていることを特徴とする請求項１、２または３記載の画像入出力装置。
【請求項５】
前記第１収容空間部と前記第２収容空間部とを区画し、前記第１収容空間部と前記第２収容空間部との連通を導通あるいは遮断する開閉手段をさらに備えることを特徴とする請求項１から４のいずれか一項記載の画像入出力装置。
【請求項６】
前記開閉手段は、前記第１収容空間部と前記第２収容空間部とに連通する開口部と、前記開口部に脱着可能に設けられる脱着部材とを有することを特徴とする請求項５記載の画像入出力装置。
【請求項７】
前記脱着部材は、前記第１収容空間部および前記第２収容空間部を連通可能な第２扉部が閉状態のとき前記第２扉部と隣接するように配設されていることを特徴とする請求項６記載の画像入出力装置。
【請求項８】
前記脱着部材は、前記キャリッジが移動する方向と平行にスライド移動可能に配設されていることを特徴とする請求項６または７記載の画像入出力装置。
【請求項９】
前記脱着部材は、透明部材からなることを特徴とする請求項６、７または８記載の画像入出力装置。
【発明の詳細な説明】
【０００１】
【発明の属する技術分野】
本発明は画像入出力装置に関し、特に原稿からの光を電気信号に変換し画像として読み取る画像読み取り部と、この画像読み取り部で読み取られた画像データに基づいて印刷媒体に画像を印刷する画像印刷部とを備える画像入出力装置に関する。
【０００２】
【従来の技術】
従来より、ＣＣＤなどのラインセンサを備える撮像手段を搭載したキャリッジを、原稿面に対して平行に移動させ、原稿の画像を読み取る画像読み取り装置が知られている。
例えば、フラットベッド型の画像読み取り装置の場合、箱型の筐体の上部に原稿を載置する透明な原稿台が設けられている。筐体の内部には、原稿台に対し平行に移動可能なキャリッジが設けられている。このキャリッジには、光源および撮像手段が搭載されている。光源の照射光は、原稿台に載置された原稿の表面で反射され、集光レンズにより撮像手段に集光される。
【０００３】
上記のような画像読み取り装置において、読み取った画像データは最終的に印刷出力される。画像データを印刷出力するには、パーソナルコンピュータ（以下、パーソナルコンピュータを「パソコン」という。）などの処理装置を用いて所望の画像をプリンタなどの印刷装置により印刷しなければならない。
【０００４】
【発明が解決しようとする課題】
パソコンを用いて画像の印刷処理を行なう場合、使用者はオペレーションシステムで規定されたコマンド入力操作を行ない、例えば磁気ディスクなどの格納装置から印刷処理アプリケーションプログラムおよびプリンタドライバを起動する必要がある。
【０００５】
しかしながら、アプリケーションプログラムやプリンタドライバの起動には所定の時間を要する。また、パソコンを実際に使いこなすためには解決すべき問題が多い。例えば、パソコンを所有していても使いこなせない使用者が多数である。これらの使用者が画像読み取り装置で読み取った画像を印刷出力する場合、画像の印刷処理用アプリケーションプログラムやプリンタドライバをパソコンにインストールしようとしてもインストール自体が困難であったり、コマンド入力の方法がわからないという不都合が生じる恐れがある。
【０００６】
そこで、パソコンに接続することなく読み取った画像データに基づいて画像を印刷可能な画像入出力装置が考えられる。このような画像入出力装置においては、原稿を画像データとして読み取る画像読み取り部と読み取った画像データに基づいて印刷媒体に印刷する画像印刷部とを２階建て構造としている。そして、上段に画像読み取り部を配置し、下段に画像印刷部を配置するのが一般的な構成である。
【０００７】
ところで、画像読み取り部のキャリッジに搭載されている撮像手段は、原稿読み取り開始前に白基準を読み取る必要がある。そのため、キャリッジの画像読み取り前、すなわちキャリッジの電源オフ時あるいは白基準読み取り時の位置である初期位置は、原稿の原点位置近傍に位置するように構成されている。また、画像印刷部のインクカートリッジは、インク残量を装置が把握するために画像印刷部の電源オフの位置である初期位置では交換不可能な構成となっている。このため、インクカートリッジの初期位置と、インクカートリッジを交換するためのカートリッジ交換用扉の位置とは所定の距離を隔てた位置に配置されている。例えば、画像読み取り部および画像印刷部を収容するハウジングの一方の端部に読み取り原点およびキャリッジの初期位置、他方の端部にカートリッジ交換用扉を配置している。これにより、インクカートリッジの交換が困難となるのを防止している。
【０００８】
しかしながら、上記のように、読み取り原点およびキャリッジの初期位置とカートリッジ交換用扉とをハウジングの両端部に配置した場合、例えば画像印刷部内で発生した印刷媒体の粉塵やインクの飛沫などが画像読み取り部内に侵入し白基準や原稿台の読み取り原点の近傍に付着すると、粉塵やインクの飛沫などを除去することが困難である。さらに、キャリッジや白基準を収容するための空間をハウジングの端部に確保しなければならず、装置の体格が大きくなり、設置スペースに大きな面積を必要とする。
【０００９】
一方、画像印刷部内へ紙粉やインクの飛沫などが侵入するのを防止するため、画像読み取り部と画像印刷部との間に隔壁を設けることが考えられる。
しかしながら、画像読み取り部と画像印刷部との間に隔壁を設けた場合、何らかの原因により画像印刷部で紙詰まりなどが発生すると、紙詰まりをおこした紙を除去することが困難である。さらに、画像印刷部は下段に配置されているため、使用者が紙詰まりの状況を確認することが困難である。
【００１０】
そこで、本発明の目的は、小型でメンテナンスが容易な画像入出力装置を提供することにある。
また、本発明の他の目的は、画像印刷部に詰まった印刷媒体の除去が容易な画像入出力装置を提供することにある。
本発明のさらに他の目的は、画像印刷部での印刷媒体の詰まりの認識が容易な画像入出力装置を提供することにある。
【００１１】
【課題を解決するための手段】
本発明の請求項１または２記載の画像入出力装置によると、キャリッジの初期位置側に扉部が配設されている。そのため、画像印刷部の内部で印刷媒体から生じる粉塵やインクの飛沫などが画像読み取り部の内部に侵入し白基準や原稿台の読み取り原点近傍に付着した場合、使用者は扉部の開口部から手を挿入し粉塵や飛沫などを容易に除去することができる。したがって、画像入出力装置のメンテナンスを容易に実行することができる。また、原稿台と扉部との間にキャリッジの初期位置を設定することができるので、初期位置のキャリッジを収容するための空間をハウジングの端部に確保する必要がない。したがって、画像入出力装置の体格を小型化し、設置スペースを小さくすることができる。
【００１２】
また、本発明の請求項１記載の画像入出力装置によると、扉部は第１収容空間部の内部および外部を連通可能な第１扉部と、第１収容空間部および第２収容空間部を連通可能な第２扉部を有している。そのため使用者は、第１扉部を開状態とすることで、白基準や原稿台を容易に清掃することができる。また、第２扉部を開状態とすることにより、画像印刷部の例えばインクカートリッジの交換などを容易に実施することができる。
【００１３】
本発明の請求項２記載の画像入出力装置によると、第２扉部は制御部の通電時において、第１扉部が開状態であるとき開状態となる。このため、使用者は電源をオンにしたときに第１扉部を開状態とすると、第２扉部も開状態となり、メンテナンスを容易に実施することができる。
【００１４】
本発明の請求項３記載の画像入出力装置によると、第１扉部の開閉状態を検出可能なセンサ部を有している。キャリッジは、センサ部から出力される電気信号に応じて制御部により初期位置から移動される。第２扉部はキャリッジが初期位置から移動することにより開状態となる。したがって、第１扉部の開閉状態に応じてキャリッジを制御し、第２扉部を確実に開閉制御でき、メンテナンスを確実に実施することができる。
【００１５】
本発明の請求項４記載の画像入出力装置によると、第２扉部の反第１扉部側には表示部が配設されている。例えば表示部にインクカートリッジの交換方法などを明示することにより、使用者はインクカートリッジの交換を容易に実施することができる。
【００１６】
本発明の請求項５記載の画像入出力装置によると、第１収容空間部と第２収容空間部との連通を導通あるいは遮断する開閉手段を備えている。そのため、例えば画像印刷部で紙などの印刷媒体が詰まった場合、使用者が開閉手段により第１収容空間部と第２収容空間部とを導通することで、詰まった印刷媒体を容易に除去することができる。また、通常に使用する場合、開閉手段により第１収容空間部と第２収容空間部との連通を遮断しておくことにより、画像印刷部の内部で発生した粉塵やインクの飛沫などが画像読み取り部へ侵入することを防止できる。したがって、装置のメンテナンスを容易に実施することができる。
【００１７】
本発明の請求項６記載の画像入出力装置によると、開閉手段は第１収容空間部および第２収容空間部を連通する開口部に脱着可能な脱着部材を有している。例えば、画像印刷部で印刷媒体が詰まった場合、脱着部材を取り外すことで詰まった印刷媒体を容易に除去することができる。また、脱着部材を取り付けることにより、第１収容空間部と第２収容空間部との連通が容易に遮断され、粉塵やインクの飛沫が画像読み取り部へ侵入することを防止できる。したがって、装置のメンテナンスを容易に実施することができる。
【００１８】
本発明の請求項７記載の画像入出力装置によると、脱着部材は第２扉部が閉状態のとき隣接して配設されている。そのため、第２扉部が閉状態のとき第１収容空間部と第２収容空間部との連通は遮断される。したがって、粉塵やインクの飛沫が画像読み取り部へ侵入することを防止できる。
【００１９】
本発明の請求項８記載の画像入出力装置によると、脱着部材はキャリッジが移動する方向、すなわち副走査方向へスライド移動可能である。そのため、第２扉部が開状態になると、脱着部材はハウジングから取り外すことができる。したがって、使用者は画像印刷部へ手を容易に挿入でき、印刷媒体の詰まりなどを容易に除去することができる。
【００２０】
本発明の請求項９記載の画像入出力装置によると、脱着部材は透明部材からなる。そのため、脱着部材を通して画像読み取り部から画像印刷部を見ることができる。したがって、画像印刷部で印刷媒体が詰まっているか否かを容易に認識することができる。
【００２１】
【発明の実施の形態】
以下、本発明の実施の形態を示す一実施例を図面に基づいて説明する。
本実施例では、キャリッジ移動型のフラットベッド型画像読み取り部およびインクジェット型濃淡カラー画像印刷部を備えた画像入出力装置に本発明を適用している。
【００２２】
図２に示すように、画像入出力装置１００は画像読み取り部としてのスキャナ部２０と、信号処理部１０と、画像印刷部としてのプリンタ部５０と、操作部３０と、電源部４０とから構成される。スキャナ部２０と、信号処理部１０、プリンタ部５０、操作部３０および電源部４０とは板金製のフレーム部材６０により仕切られている。すなわち、ハウジングとしての筐体２の内部はスキャナ部２０が収容される第１収容空間部と、信号処理部１０、操作部３０、電源部４０およびプリンタ部５０が収容される第２収容空間部とに区分けされている。
【００２３】
スキャナ部２０には、筐体２の上面にガラス等の透明板からなる原稿台１が設けられている。筐体２の内部には、駆動手段７０により原稿台１に対し平行に往復移動可能なキャリッジ３が設けられている。キャリッジ３には、光源４とカラー撮像手段５とが搭載されている。光源４からの光は、原稿台１に載置された原稿８の表面で反射し、複数のミラー６で反射された後、集光レンズ７によりカラー撮像手段５に集光される。カラー撮像手段５は、赤（Ｒ：Ｒｅｄ）、緑（Ｇ：Ｇｒｅｅｎ）および青（Ｂ：Ｂｌｕｅ）の光をそれぞれ電気信号に変換して出力する。複数のミラー６で反射させることにより、原稿８から集光レンズ７までの光路長を大きくしている。原稿台１のキャリッジ３移動方向の端部には、高反射率均一反射面を有する白基準９が設けられている。写真フィルムなどの透過原稿を読み取る場合は、原稿台１の上方に面光源などの第２の光源が設けられる。
【００２４】
図３（Ａ）、（Ｂ）および（Ｃ）に示すように、駆動手段７０は、フレーム部材６０の外側にねじ７４を用いて鉛直方向に吊り下げられている。駆動手段７０は、歯車７１、７２および７３を有しており、後述する制御手段１４に制御されて図示しない駆動ベルトを用いて、キャリッジ軸７５に沿って図２に示すキャリッジ３を駆動する。駆動手段７０は形状が矩形状であるため、フレーム部材６０の外側に鉛直方向に吊り下げられる。フレーム部材６０の外側に駆動手段７０を吊り下げることにより、フレーム部材６０の内側に駆動手段７０を配設する場合と比較して、スキャナ部２０の鉛直方向の高さが小さくなる。なお、説明を簡単にするため、図３（Ａ）においては駆動ベルトが省略され、図３（Ｂ）においてはキャリッジ軸および駆動ベルトが省略されている。
【００２５】
図４に示すように、信号処理部１０は、増幅器１１、Ａ／Ｄ変換部１２、シェーディング補正部１３、ガンマ補正部１６、その他の補正部１７および制御手段１４から構成される。制御手段１４は、ＣＰＵ、ＲＡＭおよびＲＯＭ等からなるマイクロコンピュータにより構成されている。
Ａ／Ｄ変換部１２は、増幅器１１から入力されたカラー撮像手段５からのデータをデジタル信号に変換しシェーディング補正部１３に渡す。このデジタル信号は、例えば読み取り出力が１０ビットの場合は、０〜１０２３までの数値を示す１０２４階調の信号となる。シェーディング補正部１３は、読み取り開始前に白基準９を読み取ったデータを用いて、光電変換素子列の素子毎の感度のばらつきや光源４の光量のばらつきを補正する。そして、シェーディング補正された画素データはガンマ補正部１６に送られる。ガンマ補正部１６では、所定のガンマ関数によりガンマ補正が行われ、Ａ／Ｄ変換部１２から出力された光量信号を画像信号に変換する。その他の補正部１７では、色補正、エッジ強調および領域拡大／縮小等の諸変換を行なう。
【００２６】
図１に示すように操作部３０は、筐体２から外部に突出する操作パネル８０を有している。この操作パネル８０には印刷スイッチ８１が設けられている。この印刷スイッチ８１をオンにすることで、スキャナ部２０に信号処理部１０を介して接続されているプリンタ部５０で画像の印刷が実行される。さらに、画像入出力装置１００が図示しないパソコンに接続されている場合、操作部３０を操作することでスキャナ部２０が読み取った画像データがパソコンへ転送される。また、図示しないパソコンから画像入出力装置１００へ指示することにより、パソコンに接続されているフロッピーディスク、ＣＤ−ＲＯＭあるいは光磁気ディスク（ＭＯ）などの記録媒体に記録された画像データをプリンタ部５０で画像として印刷可能である。
図２に示すように電源部４０は、Ａ／Ｃ２００ＶあるいはＡ／Ｃ１２０Ｖを供給可能な図示しないインレットを有しており、スキャナ部２０、信号処理部１０、操作部３０およびプリンタ部５０に電力を供給することができる。
【００２７】
プリンタ部５０は、図示しない紙送り手段と、印刷ヘッド５１とを備えている。印刷ヘッド５１は、図示しない圧力発生手段を有している。圧力発生手段に図４に示す制御手段１４から駆動信号に応じて電圧を印加することによりインク室の体積が拡大または収縮される。インク室の体積が変化することにより、インク室の内部の圧力が変化し、インク室の内部のインクがノズルからインク滴として図示しない印刷媒体に吐出される。印刷ヘッド５１は、シアン（Ｃ）、マゼンタ（Ｍ）、淡シアン（ｃ）、淡マゼンタ（ｍ）、イエロー（Ｙ）、ブラック（Ｋ）の６色のインクが蓄えられている図示しないインクタンクと、印刷媒体へインクを噴射するノズルを有している。
【００２８】
シアン（Ｃ）、マゼンタ（Ｍ）、淡シアン（ｃ）、淡マゼンタ（ｍ）、イエロー（Ｙ）、ブラック（Ｋ）の６色のインクを使うことで、極めて滑らかな階調の表現が可能となり、特に肌色などの明度の高い部分においてもインク滴のドットを目立たなくなる。また、シアン（Ｃ）、マゼンタ（Ｍ）、イエロー（Ｙ）、ブラック（Ｋ）の４色を組み合わせることによっても、カラー画像を印刷可能である。Ｃ、Ｍ、Ｙのインクを重ね合わせることにより黒を印刷する場合、Ｋのインクを省いてもよい。
【００２９】
次に、上記構成の画像入出力装置１００のスキャナ部２０について詳細に説明する。
図２に示すように、白基準９は原稿台１の一端に設けられている。キャリッジ３が画像を読み取る前、すなわちキャリッジ３の電源オフ時あるいは白基準を読み取るとき、白基準９とキャリッジ３の初期位置とは重なるように配置されている。キャリッジ３はフレキシブルフラットケーブル（ＦＦＣ）３１により図４に示す信号処理部１０と電気的に接続されている。また、筐体２の上面であって原稿台１の読み取り原点１ａの近傍には、原点位置表示部２１が設けられている。
【００３０】
図１および図５に示すように、筐体２の上部であって白基準９およびキャリッジ３の初期位置の反原稿台側には、第１扉部としての整備用扉２２が設けられている。この整備用扉２２は、スキャナ部２０が収容されている第１収容部の内部と外部とを連通あるいは遮断する開閉扉である。
【００３１】
図６に示すように、整備用扉２２はヒンジ部２３および突出部２４を有し、ヒンジ部２３を中心として回動可能である。突出部２４は整備用扉２２の閉状態において、筐体２の上面に形成された穴部２５に嵌合している。穴部２５内にはセンサ部としての図示しない遮光センサが設けられており、遮光センサは図４に示す制御手段１４に電気的に接続されている。このため、電源オン時、制御手段１４は突出部２４が穴部２５に嵌合しているか否か、すなわち整備用扉２２の開閉状態は遮光センサにより検出される。
【００３２】
したがって、キャリッジ３は整備用扉２２の開閉状態に応じて制御手段１４により制御され、キャリッジ３は図５の点線で示す待避位置、あるいは図７に示すような初期位置に移動される。
【００３３】
本実施例では、整備用扉２２が開状態のとき、使用者は開口部から手を挿入して白基準９や原稿台１を清掃したり、脱着式隔壁３２を取り外してプリンタ部５０内の印刷媒体の詰まりなどを保守したりすることができる。
【００３４】
また、図１および図６に示すように整備用扉２２の下段すなわち内側には、第２扉部としてのカートリッジ交換用扉２６が設けられている。このカートリッジ交換用扉２６は、スキャナ部２０が収容されている第１収容部とプリンタ部５０などが収容されている第２収容部とを連通あるいは遮断する開閉扉である。プリンタ部５０の内部で発生した印刷媒体の粉塵やインクの飛沫などがスキャナ部２０内に移動し、白基準９や原稿台１の読み取り原点１ａ近傍に付着することが防止される。
【００３５】
図６に示すようにカートリッジ交換用扉２６は、ヒンジ部２７を有しており、ヒンジ部２７を中心として回動可能である。カートリッジ交換用扉２６と筐体２とは図７に示すばね２８により接続されている。ばね２８は、一方の端部がカートリッジ交換用扉２６の上面に固定され、他方の端部が筐体２の図示しない固定部に固定されている。
【００３６】
ばね２８は、カートリッジ交換用扉２６が開状態となる方向へカートリッジ交換用扉２６を付勢している。したがって、整備用扉２２が閉状態のとき、カートリッジ交換用扉２６の上面と整備用扉２２の下面とが当接して閉状態となる。一方、整備用扉２２の開状態のとき、カートリッジ交換用扉２６の上面と整備用扉２２の下面との当接が解除され、カートリッジ交換用扉２６が開状態となる。
【００３７】
カートリッジ交換用扉２６の下面、すなわち反整備用扉側の面には、図１および図６に示すように、インクカートリッジ５２および５３の交換方法を図解した表示部としてのインストラクションラベル２９が貼付されている。したがって、カートリッジ交換用扉２６が開状態となった場合、使用者にインクカートリッジ５２および５３の交換方法を明示する。ここで、整備用扉２２、遮光センサおよびカートリッジ交換用扉２６は、扉部を構成している。
【００３８】
電源オフ時、図７に示すようにキャリッジ３は初期位置に位置し、かつカートリッジ交換用扉２６の上方に位置する。そのため、この状態で使用者が整備用扉２２を持ち上げても、カートリッジ交換用扉２６の上面とキャリッジ３の下面とは当接する。したがって、カートリッジ交換用扉２６はばね２８の付勢力に抗して図６の実線で示すように閉状態となる。
【００３９】
また、電源オン時、使用者が整備用扉２２を持ち上げると、遮光センサからの電気信号に応じて制御手段１４によりキャリッジ３は図５の点線で示す待避位置へ移動される。これにより、カートリッジ交換用扉２６はばね２８の付勢力により図６の２点鎖線で示すように開状態となる。このとき、操作パネルの図示しないカートリッジ交換スイッチをオンにすることで、図８に示すように印刷ヘッド５１がカートリッジ交換位置に移動する。そのため、使用者はインストラクションラベル２９によりカートリッジ交換方法を確認しながらインクカートリッジ５２および５３を交換可能である。なお、図７および図８においては、説明を簡単にするため、整備用扉を省略している。
【００４０】
次に、本実施例において、整備用扉２２をキャリッジ３の初期位置の側に配した理由を、図９に示す比較例を用いて説明する。
図９に示すように、比較例におけるスキャナ部１２０は、原稿台１０１の一端側に白基準１０９が設けられており、白基準１０９および初期位置のキャリッジ１０３の一端側に読み取り原点１０１ａが設けられている。また、筐体１０２の上部他端側には整備用扉１２２が設けられている。すなわち、整備用扉１２２は原稿台１０１に対し反白基準側に位置している。プリンタ部については、図２に示す本実施例と同一構成であるので説明を省略する。
【００４１】
比較例においては、整備用扉１２２が原稿台１０１に対し筐体１０２の反白基準側に設けられているため、スキャナ部１２０の下段に設けられるプリンタ部内で発生した用紙の紙粉やインクの飛沫等の塵がスキャナ部１２０内に移動して白基準１０９や原稿台１０１の読み取り原点１０１ａ近傍に付着した場合、使用者が整備用扉１２２を持ち上げて開口部から手を挿入しても、上記の塵を除去するためのメンテナンスが困難である。また、初期位置のキャリッジ１０３を収容するための空間を整備用扉１２２の他に筐体１０２の一端側に確保する必要があるため、装置の体格が大きくなり、大きい設置スペースを確保しなければならないという問題がある。
【００４２】
一方、本実施例においては、整備用扉２２が白基準９およびキャリッジ３の初期位置に対し筐体２の反原稿台側に設けられている。このため、プリンタ部５０内で発生した用紙の紙粉やインクの飛沫等の塵がスキャナ部２０内に移動して白基準９や原稿台１の読み取り原点１ａ近傍に付着した場合、使用者が整備用扉２２を持ち上げることで、キャリッジ３は待避位置に移動してカートリッジ交換用扉２６が開状態となる。したがって、使用者がこの開口部から手を挿入することにより、上記の塵を簡便に除去することができ、メンテナンスが容易となる。さらに、キャリッジ３の初期位置は、カートリッジ交換用扉２６の上方に配置されているので、初期位置のキャリッジ３を収容するための空間を整備用扉２２、カートリッジ交換用扉２６とは別に筐体２の端部に確保しなくてよい。したがって、画像入出力装置１００の体格を小型化して設置スペースを容易に確保することができる。
【００４３】
次に、スキャナ部２０とプリンタ部５０とを仕切る脱着式隔壁３２について説明する。
図１０に示すように、フレーム部材６０に形成されスキャナ部２０とプリンタ部５０とに連通する開口部の内壁を構成する枠部材３３は、レール部３３ａおよび図示しない穴部を有している。脱着部材としての脱着式隔壁３２は、透明部材からなり、爪部３２ａを有している。脱着式隔壁３２は、レール部３３ａ上を図１０に示す矢印Ａ方向あるいは矢印Ｂ方向にスライド移動可能である。脱着式隔壁３２の爪部３２ａは、枠部材３３の穴部に対応する位置に形成されており、２個の穴部にそれぞれ嵌合される。
【００４４】
脱着式隔壁３２は、カートリッジ交換用扉２６が閉状態のとき隣接して配置されている。そのため、カートリッジ交換用扉２６が閉状態のとき、カートリッジ交換用扉２６と脱着式隔壁３２とは当接しており、脱着式隔壁３２は図１０に示す矢印Ａまたは矢印Ｂのいずれの方向にも移動不可能となる。一方、カートリッジ交換用扉２６が開状態のとき、カートリッジ交換用扉２６と脱着式隔壁３２との当接は解除され、脱着式隔壁３２はスライド移動可能となる。
【００４５】
脱着式隔壁３２が図１０の矢印Ａ方向に移動することで、スキャナ部２０とプリンタ部５０との連通される。さらに、脱着式隔壁３２が図１０の矢印Ａ方向にさらに移動することで、脱着式隔壁３２は枠部材３３から取り外される。また、脱着式隔壁３２が図１０の矢印Ｂ方向に移動し、爪部３２ａが穴部にそれぞれ嵌合すると、スキャナ部２０とプリンタ部５０との連通が遮断される。ここで、カートリッジ交換用扉２６、脱着式隔壁３２、枠部材３３およびフレーム部材６０は、開閉手段を構成している。
次に、上記のように構成された画像入出力装置１００の動作を図１１に基づいて説明する。
【００４６】
（１）使用者は、スキャナ部２０の原稿台１に原稿８を置いて、操作部３０の印刷スイッチを押し、原稿８の読み取りの実行を指令する。ステップＳ１において、読み取りの実行が指令されると、制御手段１４は光源４あるいは第２の光源を点灯させ、キャリッジ３を副走査方向に一定の速度で移動させる。所定の時間毎に発生される駆動信号により１ラインの画像がカラー撮像手段５の各光電変換素子列に読み取られ、ステップＳ２において、画素データが信号処理部１０に出力される。
【００４７】
（２）ステップＳ３において、信号処理部１０に出力されたアナログの画素データはＡ／Ｄ変換部１２によりデジタルの画素データに変換され、シェーディング補正部１３によりシェーディング補正されてガンマ補正部１６に送られる。そして、所定のガンマ関数によりガンマ補正が行われる。
【００４８】
（３）ステップＳ４で、その他の補正部１７において、ＲＧＢデータに色補正処理を施し、印刷用のＣＭＹＫ階調ビットイメージデータに変換する。そして、得られたＣＭＹＫ階調ビットイメージデータを濃淡インクテーブルによって濃淡各々のデータに振分け、さらに、ディザ法、誤差拡散等のハーフトーン処理を施して色毎にビットマップ上の濃淡色の配分あるいは配置を決定し、それぞれ２値のビットマップを作成する。ハーフトーン処理が施されたビットマップデータは制御手段１４のＲＡＭの所定領域に一時保存される。
【００４９】
（４）ステップＳ５において、制御手段１４のＣＰＵは、プリンタ部５０に印刷準備終了信号を送出し、プリンタ部５０の印刷動作状態を調べる。プリンタ部５０は、印刷動作可能状態の場合に制御手段１４のＣＰＵに印刷データの転送要求信号を送出する。
【００５０】
（５）ステップＳ６において、制御手段１４のＣＰＵは、ＤＭＡ(Direct Memory Access)転送により印刷制御データおよび色毎のビットマップデータを順次プリンタ部５０に送信する。そして、プリンタ部５０は、制御手段１４のＲＡＭから順次取り出された印刷データに基づいて印刷ヘッド５１により画像の印刷を実行する。
【００５１】
以上説明した本発明の一実施例においては、キャリッジ３の初期位置に対し筐体２の反原稿台側に整備用扉２２が設けられている。そのため、粉塵やインクの飛沫などがスキャナ部２０の白基準９や原稿台１の読み取り原点１ａ近傍に付着した場合、使用者が整備用扉２２の開口部から手を挿入し簡便に除去することができる。したがって、画像入出力装置１００のメンテナンスが容易となる。
【００５２】
また、原稿台１と整備用扉２２との間がキャリッジ３の初期位置に相当するので、初期位置のキャリッジ３を収容するための空間を筐体２の端部に確保する必要がない。したがって、画像処理装置１００の体格を小型化して設置スペースを容易に確保することができる。
【００５３】
本実施例では、整備用扉２２の開閉状態を検出可能な遮光センサが設けられているため、整備用扉２２が開状態となると遮光センサから制御手段１４へ出力される電気信号によりキャリッジ３は初期位置から待避位置へ移動される。キャリッジ３が待避位置へ移動することによりカートリッジ交換用扉２６が開状態となる。このため、使用者が電源オン時に整備用扉２２を開状態にすると、キャリッジ３は待避位置に移動しカートリッジ交換用扉２６が開状態となる。したがって、整備用扉２２の開閉状態に応じてキャリッジ３を制御し、カートリッジ交換用扉２６を確実に開閉制御することで、インクカートリッジ５２および５３の交換等のメンテナンスを容易にすることができる。
【００５４】
また、本実施例では、カートリッジ交換用扉２６の反整備用扉側の面にインクカートリッジ５２および５３の交換方法を図解したインストラクションラベル２９が貼付されているので、使用者はインクカートリッジ５２および５３の交換を容易に行なうことができる。
【００５５】
さらに、本実施例では、透明部材からなる脱着式隔壁３２を枠部材３３に脱着可能に設けているので、プリンタ部５０で印刷媒体が詰まった場合、枠部材３３から脱着式隔壁３２を取り外すことで詰まった印刷媒体を容易に除去することができる。したがって、画像入出力装置のメンテナンスを容易に行なうことができる。また、脱着式隔壁３２は透明部材であるので、印刷媒体の詰まりの状況を容易に確認することができる。
【００５６】
以上説明した本発明の一実施例では、インクジェット方式のプリンタ部を備えた画像入出力装置に本発明を適用したが、本発明はこれに限定されることなく、ドットインパクト方式等の種々の印刷ヘッドを用いたプリンタ部を備えた画像入出力装置に適用することができる。
【図面の簡単な説明】
【図１】本発明の一実施例による画像入出力装置を示す概略斜視図である。
【図２】本発明の一実施例による画像入出力装置を示すブロック図である。
【図３】本発明の一実施例による画像入出力装置の駆動手段を示す模式図であり、（Ａ）は平面図、（Ｂ）は（Ａ）を矢印Ｂ方向から見た矢視図、（Ｃ）は（Ａ）を矢印Ｃ方向から見た矢視図である。
【図４】本発明の一実施例による画像入出力装置の信号処理部を示すブロック図である。
【図５】本発明の一実施例による画像入出力装置を示す模式的な平面図である。
【図６】本発明の一実施例による画像入出力装置の整備用扉およびカートリッジ交換用扉の近傍を示す模式的な断面図である。
【図７】本発明の一実施例による画像入出力装置の整備用扉を示す模式的な平面図である。
【図８】本発明の一実施例による画像入出力装置を示す図であって、カートリッジ交換用扉が開状態のときを示す模式的な平面図である。
【図９】比較例を示す模式図である。
【図１０】本発明の一実施例による画像入出力装置を示す図であって、脱着式隔壁の移動を説明する模式的な平面図である。
【図１１】本発明の一実施例による画像入出力装置の作動を示すフロー図である。
【符号の説明】
１    原稿台
２    筐体（ハウジング）
３    キャリッジ
１０    信号処理部
１４    制御手段
２０    スキャナ部（画像読み取り部）
２２    整備用扉（第１扉部、扉部）
２６    カートリッジ交換用扉（第２扉部、扉部）
２９    インストラクションラベル（表示部）
３２    脱着式隔壁（脱着部材、開閉手段）
３３    枠部材（開口部内壁、開閉手段）
５０    プリンタ部（画像印刷部）
６０    フレーム部材（開閉手段）
１００    画像入出力装置
【図１】
0003814820.tif 000002
【図２】
0003814820.tif 000003
【図３】
0003814820.tif 000004
【図４】
0003814820.tif 000005
【図５】
0003814820.tif 000006
【図６】
0003814820.tif 000007
【図７】
0003814820.tif 000008
【図８】
0003814820.tif 000009
【図９】
0003814820.tif 000010
【図１０】
0003814820.tif 000011
【図１１】
0003814820.tif 000012